(57)【要約】      （修正有）【課題】斬新な演出を実施するとともに、所望する位置へ容易に降下させることができるクレーンゲーム機のキャッチャーを提供する。【解決手段】水平方向及び上下方向に移動するキャッチャー１０を備え、プレーヤの操作によって前記キャッチャー１０を初期位置から吊り上げ実行位置に水平移動させ、該吊り上げ実行位置で前記キャッチャー１０を下降させて景品を保持し吊り上げ、取出位置へ移動する様にしてクレーンゲーム機を構成する。さらに、前記キャッチャー１０には、キャッチャー本体１１の下側中央部に、直下方向に、可視光線レーザーＬを照射する発光部２０を設ける。【選択図】図２
0003163710.tif 000002
【実用新案登録請求の範囲】
【請求項１】
水平方向及び上下方向に移動するキャッチャーを備え、プレーヤの操作によって前記キャッチャーを初期位置から吊り上げ実行位置に水平移動させ、該吊り上げ実行位置で前記キャッチャーを下降させて景品を保持し吊り上げ、取出位置へ移動して景品の獲得を競うクレーンゲーム機において、
前記キャッチャーは、キャッチャー本体の下側中央部に直下方向に可視光線レーザーを照射する発光部が設けられていることを特徴とするクレーンゲーム機のキャッチャー。
【請求項２】
前記発光部がレーザーポインタである請求項１に記載のクレーンゲーム機のキャッチャー。
【考案の詳細な説明】
【技術分野】
【０００１】
本考案は、水平方向及び上下方向に移動するキャッチャーを備え、プレーヤの操作によって前記キャッチャーを初期位置から吊り上げ実行位置に水平移動させ、該吊り上げ実行位置で前記キャッチャーを下降させて景品を保持し吊り上げ、取出位置へ移動して景品の獲得を競うクレーンゲーム機に関し、特に、クレーンゲーム機のキャッチャーに関する。
【背景技術】
【０００２】
遊技施設等に設置されるクレーンゲーム機は、水平方向及び上下方向に移動するキャッチャーを操作し、ぬいぐるみや菓子、玩具等の各種景品の獲得を競うものである。景品を獲得するに際して、プレーヤがキャッチャーを初期位置から目標とする景品の上方（吊り上げ実行位置）まで縦方向または横方向に水平移動操作すると、キャッチャーは、吊り上げ実行位置で自動的にまたは操作ボタンの操作によって降下を開始して開閉アームにより景品を保持し吊り上げ、取出位置へ移動して保持した景品を解放するように作動する（例えば、特許文献１参照。）。
【０００３】
しかるに、従来のキャッチャーは、景品獲得に際して、単純に吊り上げ実行位置まで水平移動したり、吊り上げ実行位置で昇降するのみであり、演出が乏しく遊技の興趣を欠いていた。
【０００４】
また、プレーヤがキャッチャーを操作する際には、クレーンゲーム機の外側からガラス枠を介してキャッチャーの位置を確認しながらボタン操作しなければならず、プレーヤが所望する位置へキャッチャーを正確に降下させることが困難であった。そのため、初心者等のクレーンゲームに不慣れなプレーヤは、繰り返し挑戦しても景品をまったく獲得できないことが多く、クレーンゲームをプレーすること敬遠してしまうことが多かった。
【先行技術文献】
【特許文献】
【０００５】
【特許文献１】特開２００８−９９９２６号公報
【考案の概要】
【考案が解決しようとする課題】
【０００６】
本考案は前記の点に鑑みなされたものであり、斬新な演出を実施するとともに、所望する位置へ容易に降下させることができるクレーンゲーム機のキャッチャーを提供するものである。
【課題を解決するための手段】
【０００７】
すなわち、請求項１の考案は、水平方向及び上下方向に移動するキャッチャーを備え、プレーヤの操作によって前記キャッチャーを初期位置から吊り上げ実行位置に水平移動させ、該吊り上げ実行位置で前記キャッチャーを下降させて景品を保持し吊り上げ、取出位置へ移動して景品の獲得を競うクレーンゲーム機において、前記キャッチャーは、キャッチャー本体の下側中央部に直下方向に可視光線レーザーを照射する発光部が設けられていることを特徴とするクレーンゲーム機のキャッチャーに係る。
【０００８】
請求項２の考案は、前記発光部がレーザーポインタである請求項１に記載のクレーンゲーム機のキャッチャーに係る。
【考案の効果】
【０００９】
請求項１の考案に係るクレーンゲーム機のキャッチャーは、水平方向及び上下方向に移動するキャッチャーを備え、プレーヤの操作によって前記キャッチャーを初期位置から吊り上げ実行位置に水平移動させ、該吊り上げ実行位置で前記キャッチャーを下降させて景品を保持し吊り上げ、取出位置へ移動して景品の獲得を競うクレーンゲーム機において、前記キャッチャーは、キャッチャー本体の下側中央部に直下方向に可視光線レーザーを照射する発光部が設けられているため、斬新な演出が実施されるとともに、所望する位置へ降下させ易くすることができる。
【００１０】
請求項２の考案は、請求項１において、前記発光部がレーザーポインタであるため、製造コストを抑えることができるとともに、キャッチャー本体を大型化することなく容易に取り付けることができる。
【図面の簡単な説明】
【００１１】
【図１】本考案の一実施例に係るキャッチャーを備えたクレーンゲーム機の斜視図である。
【図２】図１のキャッチャーの斜視図である。
【図３】図１のキャッチャーの要部断面図である。
【図４】図１のキャッチャーの下側平面図である。
【考案を実施するための形態】
【００１２】
図１に示すクレーンゲーム機１は、水平方向及び上下方向に移動するキャッチャー１０を備え、プレーヤの操作によってキャッチャー１０を初期位置から吊り上げ実行位置に水平移動させ、該吊り上げ実行位置でキャッチャー１０を下降させて景品を保持し吊り上げ、取出位置へ移動して景品の獲得を競うように構成される。
【００１３】
図１において、符号２はキャッチャー１０が移動可能な吊り上げ実行領域、３は取出位置に設けられた景品が投入可能な景品投入部、４は各種景品が載置される景品載置部、５はプレーヤがキャッチャー１０を縦方向または横方向に水平移動操作可能な操作部、６はプレーヤが所定のコインを投入して操作部５を操作可能とするためのコイン投入部、７は景品投入部３と連通し投入された景品をプレーヤが取り出し可能な景品取出部、８はガラス枠である。また、図示の例では、景品は省略している。
【００１４】
キャッチャー１０は、図２〜図４に示すように、キャッチャー本体１１と、開閉アーム１５と、発光部２０とを有する。開閉アーム１５は、キャッチャー本体１１の左右に設けられ、公知の駆動手段により水平方向にスライドして開閉することにより景品を保持することが可能に構成されている。
【００１５】
図２〜図４において、符号１２はキャッチャー本体１１外周面に設けられ点滅や強弱をつけた発光等を行う演出部１２、１６は開閉アーム１５の先端に設けられた景品を保持するための保持爪部、Ｗはキャッチャー本体１１上部に一端が固定されキャッチャー本体を吊り下げるワイヤー、Ｗ１はワイヤーＷの繰り出しまたは巻き取りを行ってキャッチャー１０を昇降させるとともに操作部５の操作に応じてキャッチャー１０を水平移動させる移動手段である。なお、図１，２において、保持爪部１６は省略している。
【００１６】
発光部２０は、キャッチャー本体１１の下側中央部に設けられ、直下方向に可視光線レーザーＬを照射するように構成される。可視光線レーザーＬは、常時またはプレイヤーによりコイン投入部６にコインが投入された際にキャッチャー本体１１下側から照射される。キャッチャー１０が水平移動あるいは景品を保持するために昇降する際にも照射され続けるため、あたかもキャッチャー１０から発せられた光が景品を捕獲するような従来にない斬新な演出が実施される。また、可視光線レーザーＬの照射方向が直下方向であることにより、可視光線レーザーＬの被照射点Ｌ１がキャッチャー１０の降下位置を指し示しながら水平移動するようになるため、キャッチャー１０の降下位置を容易に把握することができる。これにより、プレーヤはキャッチャー１０を所望する降下位置へ移動操作しやすくなる。
【００１７】
発光部２０としては、例えば、半導体レーザーを利用した適宜の器具を用いることができる。特に、レーザーポインタであることが好ましい。レーザーポインタは、安価で入手しやすく小型であるため、製造コストを抑えることができるとともに、キャッチャー本体１１を大型化することなく容易に取り付けることができる。
【００１８】
次に、本発明のキャッチャー１０の具体的な実施例について説明する。まず、初期状態では、図１に示すように、キャッチャー１０は、移動手段Ｗ１によりワイヤーＷが巻き取られた上昇位置かつ初期位置（吊り上げ実行領域２の左側手前）に配置されている。
【００１９】
ここで、プレーヤからコイン投入部６に所定のコインが投入されると、図２，３に示すように、キャッチャー本体１１下側の発光部２０から可視光線レーザーＬが照射され、操作部５の操作が可能となってゲームが開始される。操作部５による操作は、ゲーム性を高めるために、１回のゲームで縦方向及び横方向の移動操作回数をそれぞれ１度ずつに制限してもよい。
【００２０】
プレーヤは、操作部５を適宜操作することにより、キャッチャー１０を縦方向または横方向に水平移動させることができる。この時、キャッチャー１０は、キャッチャー本体１１下側の発光部２０から可視光線レーザーＬが照射されることにより、可視光線レーザーＬの被照射点Ｌ１がキャッチャー１０の降下位置の中心部を指し示しながら水平移動される。
【００２１】
この時、プレーヤは、被照射点Ｌ１を照準に見立てて確認することによって、キャッチャー１０の降下位置を容易に把握することが可能となる。そのため、プレーヤが初心者等のようにクレーンゲームの操作に不慣れであっても、操作の際に被照射点Ｌ１を参考にしてキャッチャー１０を所望する降下位置まで容易に水平移動させることができる。
【００２２】
また、水平移動するキャッチャー１０では、移動中にキャッチャー本体１１下側から可視光線レーザーＬが照射されるとともに、演出部１２において点滅や強弱をつけた発光が行われることにより、光線を地面に向けて発して空中を浮遊する飛行物体を模した演出がなされる。
【００２３】
そして、このようにして吊り上げ実行領域２内の任意の吊り上げ実行位置（目標とする景品の上方）まで移動されたキャッチャー１０は、図２に示すように、移動手段Ｗ１によりワイヤーＷが繰り出されて、景品に向かって降下される。キャッチャー１０の降下位置は、可視光線レーザーＬの被照射点Ｌ１を参考にすることでキャッチャー本体１１の中心位置を目標とする景品の直上位置にあわせることが容易であるため、景品を獲得する可能性が向上する。
【００２４】
所定位置まで降下されたキャッチャー１０は、開閉アーム１５により景品の保持を試みた後、移動手段Ｗ１がワイヤーＷを巻き取ることにより、景品保持に成功した場合は景品を保持しつつ吊り上げ、失敗した場合はキャッチャー１０のみを吊り上げ、上昇位置まで上昇される。
【００２５】
また、昇降するキャッチャー１０では、昇降中にキャッチャー本体１１下側から目標とする景品に向けて可視光線レーザーＬが照射されるとともに、演出部１２において点滅や強弱をつけた発光が行われることにより、景品がキャッチャー１０から発せられた光に捕獲される状態を模した演出がなされる。
【００２６】
そして、キャッチャー１０は、移動手段Ｗ１により取出位置である景品投入部３上方まで水平移動され、開閉アーム１５を開放させる。開閉アーム１５が景品を保持していれば、開閉アーム１５の開放により保持された景品が景品投入部３に投入され、プレーヤはクレーンゲーム機１の景品取出部７から投入された景品を取り出して獲得することができる。
【００２７】
なお、本発明のクレーンゲーム機のキャッチャーは、前述の実施例のみに限定されるものではなく、発明の趣旨を逸脱しない範囲において構成の一部を適宜に変更して実施することができる。例えば、実施例では、開閉アームが水平方向にスライドする構成としたが、これに限らず、回動により開閉する構成としてもよい。
【００２８】
また、開閉アームをキャッチャー本体の左右に２つ設けたが、３つ以上の開閉アームを設けてもよい。
【符号の説明】
【００２９】
１      クレーンゲーム機
１０    キャッチャー
１１    キャッチャー本体
１５    開閉アーム
２０    発光部
Ｌ      可視光線レーザー
【図１】
0003163710.tif 000003
【図２】
0003163710.tif 000004
【図３】
0003163710.tif 000005
【図４】
0003163710.tif 000006